(57)【特許請求の範囲】
【請求項１】
少なくとも前後一対の針床と、各針床に列設される編針に編糸を給糸する給糸口とを備える横編機を用い、編地を編成しながら、編地側端の複数の編目からなる側端編目群を編地内方に目移しを用いて移動させることで編み幅を減少させる内減らし、または側端編目群を編地外方に目移しを用いて移動させることで編み幅を増大させる内増やし、を繰り返し行うことで編み幅を減少または増大する編成方法において、前記側端編目群の中で編地の最外側に位置する編目と、該編目に隣接する内側の編目の間に、編地の突っ張りを緩和させるために第１の空針を設けた状態で編地の編目列の形成と側端編目群の目移しを用いた移動を行うことを特徴とする編地の編成方法。
【請求項２】
前記側端編目群の目移しを用いた編地内方への１回の移動で編目２個以上の重ね目による減らし目を形成する場合で、減らし目に隣接する側端編目群の編目の編地外側に編地の突っ張りを緩和させるために第２の空針を設けることが可能なだけの目数を側端編目群が有するときに減らし目に隣接する側端編目群の編目のすぐ隣り、２つ隣り、３つ隣りの何れかの位置に第２の空針を設けることを特徴とする請求項１記載の編地の編成方法。
【請求項３】
前記側端編目群の移動ピッチをＸ、コース数をＹ、ＸとＹの比率ｆをｆ＝Ｘ／Ｙとするとき、
ｆ＞１.３である請求項１または２記載の編地の編成方法。
【発明の詳細な説明】
【技術分野】
【０００１】
本発明は、内増やし又は内減らしにより編成される編地の編成方法である。
【背景技術】
【０００２】
横編機で、セーターやベストなどのニットウエアを編成する場合、所望の形状に合わせて編成することが行われる。所謂、成型編地である。例えば、成型編地を内減らしで形成するには、編地側端の編目群を用いる。該編目群の目移しにより重ね目を形成する減らしのコースと、編み幅全体を編成するコースとの組合せで、傾斜する編目の角度を調整する。
【０００３】
しかしながら、直角三角形での一辺と斜辺の関係からも解かるように、傾斜する編目と傾斜しない編目が同じ大きさの編目であれば、傾斜する編目の大きさは編目の長さが不足し、編地は突っ張ってしまう。本願出願人は、このような場合に、編地側端の減らしを行う編目群のみ編成する工程と、減らしを行う編目群を含むより広い範囲を編成する工程とを組み合わせて、編み幅の方向に対して任意の角度で減らしを行い、内減らし部に歪が生じないようにする編成方法を開示している。（特許文献１参照）
【先行技術文献】
【特許文献】
【０００４】
【特許文献１】特許第３０１０４８４号公報
【発明の概要】
【発明が解決しようとする課題】
【０００５】
本発明の目的は、特許文献１とは別の方法を用い、文献１と同様の内減らしと、更に内増しを含めた編成により、編地の側端編目群の突っ張りを、編成効率を下げることなく、非常に簡単な方法で緩和させることが可能な編成方法を提供する。
【課題を解決するための手段】
【０００６】
本発明は、少なくとも前後一対の針床と、各針床に列設される編針に編糸を給糸する給糸口とを備える横編機を用い、編地を編成しながら、編地側端の複数の編目からなる側端編目群を編地内方に目移しを用いて移動させることで編み幅を減少させる内減らし、または側端編目群を編地外方に目移しを用いて移動させることで編み幅を増大させる内増やし、を繰り返し行うことで編み幅を減少または増大する編成方法において、前記側端編目群の中で編地の最外側に位置する編目と、該編目に隣接する内側の編目の間に、編地の突っ張りを緩和させるために第１の空針を設けた状態で編地の編目列の形成と側端編目群の目移しを用いた移動を行うことを特徴とする。
【０００７】
また本発明では、前記側端編目群の目移しを用いた編地内方への１回の移動で編目２個以上の重ね目による減らし目を形成する場合で、減らし目に隣接する側端編目群の編目の編地外側に編地の突っ張りを緩和させるために第２の空針を設けることが可能なだけの目数を側端編目群が有するときに減らし目に隣接する側端編目群の編目のすぐ隣り、２つ隣り、３つ隣りの何れかの位置に第２の空針を設けることを特徴とする。
【０００８】
また本発明では、前記側端編目群の移動ピッチをＸ、コース数をＹ、ＸとＹの比率ｆをｆ＝Ｘ／Ｙとするとき、ｆ＞１.３であることを特徴とする。
【発明の効果】
【０００９】
本発明によれば、側端編目群の中で編地の最外側に位置する編目と、該編目に隣接する内側の編目の間に、編地の突っ張りを緩和させるために第１の空針を設けて編目を編成することで、最も突っ張りやすい最外端の編目のシンカーループを長くすることができ、該シンカーループを吸収して編成後の編目を大きくして突っ張りを緩和させることができる。また、一旦空針を設ければ、そのままの状態で、新たな編目の形成と内増やし又は内減らしを連続して編成することが出来る。別途、編目の突っ張りを緩和させる為の増し目や、編成コースを分割して、負荷が掛かる編目を他編目に対して大きくするなど、追加コースや手間も掛からない。編成コース数の増加も無く、編成効率も落ちない。また、ミス編成と言う非常に簡単な編成により対応することができる。
【００１０】
さらに本発明によれば、内減らしを行う際には、側端編目群の中で重ね目となる減らし目の最外側の編目が最も突っ張りやすい。設ける空針の位置は、本来、編目が割れる(離れる)傾向がある該編目に隣接する位置ではなく、割れる傾向が少ない編目を１目挟んだ外側の位置に設けるために、編目間に孔ができず、綺麗な見栄えにすることができる。
【００１１】
さらに本発明によれば、２目減らし２回を３コースの編成時に実施（ｆ＝１．３３）や、３目減らし１回を２コースの編成時に実施（ｆ＝１．５）や、２目減らし１回を１コースの編成時に実施（ｆ＝２）などにも対応でき、比率ｆが１．３を超えるような急激な減らしを行うことができる。なお好ましくは、比率ｆが、１．３＜ｆ＜２．０であり、ｆが１．３より低い値では、編地の突っ張りが目立たず、ｆが２．０を越える値は、突っ張る編目に対し、ループ長を長くするなどの対応が必要となってしまう。
【図面の簡単な説明】
【００１２】
【図１】図１は、本発明の実施例である内減らしを用いた編地の概略図である。
【図２】図２は、本発明の実施例である内減らしを用いた編地の編成図である。
【図３】図３は、図２に続く本発明の実施例である内減らしを用いた編地の編成図である。
【発明を実施するための形態】
【００１３】
以下、本発明の実施例としての内減らしによる編地において、編地側端で７目の側端編目群２による内減らし編成について、図２、図３に基づいて説明する。ここでは、袖山などに必要な緩やかな角度を急激な減らしを用いて形成する方法を説明する。尚、編成に使用する横編機は、前後一対の針床を備えた２枚ベッド横編機であり、後針床ＢＢが前針床ＦＢに対してラッキング可能で、歯口の上方には移動可能な給糸口９を有する。また、説明の便宜のため、針数を実際の編成より少なくし、すべて天竺で編成するものとする。またラッキングを伴う目移しについては、編成図でラッキングの動作を省略している。
【実施例】
【００１４】
図１は、内減らしを用いた編地１の概略図である。ウェール方向に２コースを編成し、その際に３目減らしを行うことを繰り返している。図に示す斜線部分では目移しによる減らしが行われ、編地側端で傾斜する。
【００１５】
図２は、図１で示す内減らしを用いた編地１の編成図である。編成図において、図中左側の数字は編成ステップ（Ｓ）を示し、左右方向の矢印は編成方向または給糸口９の移動方向を示し、ＦＢ、ＢＢはそれぞれ前針床、後針床を示す。大文字のＡ〜ＰはＦＢの編針を、小文字のａ〜ｐはＢＢの編針を示す。丸印はその編成ステップで形成される新たな編目または目移しする編目を示し、二重丸は重ね目を示す。尚、その編成ステップの編成に関係せず、編針に係止されたままの編目については図示を省略している。
【００１６】
Ｓ１では、図の左から右方向に給糸口９を移動させて、編針Ａ〜Ｐで新たな編目を形成する。Ｓ２は左方向に、編針Ｐ〜Ａで新たな編目を形成する。編針Ａ〜Ｇに係止する側端編目群２は、Ｓ３、Ｓ４において目移しを行い、移動前に対し右側にずれた位置である編針Ｂ、編針Ｄ〜Ｅ、編針Ｇ〜Ｊに移動する。この移動では、編地の突っ張りを緩和させる為に、側端編目群２の中で編地の最外側に位置する編目３と、該編目に隣接する内側の編目４の間には第１の空針６を設けるとともに、減らし目８に隣接する側端編目群２の編目５の外側には第２の空針７を設ける。
【００１７】
また、Ｓ１〜Ｓ４でみると、移動する側端編目群２のコース方向の移動ピッチＸは３で、編成したコース数Ｙは２である。傾斜する側端編目群２での比率ｆ（ｆ＝Ｘ／Ｙ）は、１.５となり、急激な減らしとなっている。また他例として、２目減らし２回を３コースの編成時に実施（ｆ＝１．３３）や、３目減らし１回を２コースの編成時に実施（ｆ＝１．５）や、２目減らし１回を１コースの編成時に実施（ｆ＝２）などにも対応でき、比率ｆが１．３を超えるような急激な減らしを行うことができる。なお好ましくは、比率ｆが、１．３＜ｆ＜２．０であり、ｆが１．３より低い値では編地の突っ張りが目立たず、またｆが２．０を越える値では突っ張りが強すぎ、突っ張る編目に対して、直接ループ長を長くするなどの対応が必要となってしまう。
【００１８】
Ｓ５、Ｓ６では、第１の空針６の編針Ｃと、第２の空針７の編針Ｆを除く編針Ｂ〜Ｐで新たな編目を形成する。Ｓ７では、側端編目群２を対向する編針に目移しする。Ｓ８では、内側に３目移動する内減らしを行う。上記Ｓ７，Ｓ８では、２つの空針を確保したまま行う。Ｓ９では左から右方向に給糸口９を移動させて、第１の空針６の編針Ｆと第２の空針７の編針Ｉを除く編針Ｅ〜Ｐで新たな編目を形成する。例えばＳ５〜Ｓ８を１単位として繰り返せば、規則的な直線ラインとすることができる。急激な傾斜を形成する場合にも、公知な成型編成のように、減らす目数やウェール方向の編成コースを変化させることで、ラインの角度や曲線に近いラインなどの調整は可能である。
【００１９】
本実施例では、第２の空針を減らし目に隣接する編目５のすぐ隣りに設けたが、２つ隣りであっても良い。また、側端編目群２を形成する編目の数が更に多い場合には、３つ隣りに空針を設けるようにしても良い。いずれの場合も、強く負荷の掛かる編目に近い位置でミス編成を行う事で、負荷の掛かる編目のシンカーループを長くした効果が出せる。編成する際に、指定した編目の引き込み量を多くする機構を用いて編目を大きくする必要も無く、編成コースを分割してコース数を増やし、編目を大きくする必要も無い。
【００２０】
図３は、図２に続く編成図である。Ｓ１０は、内減らしが終了し、以降で突っ張ることがなくなった際に行う編成である。編針Ｅと編針Ｇ，Ｈに係止する編目は、第１の空針６の編針Ｆをそのままにして、ＢＢの編針ｅと編針ｇ，ｈに目移しする。Ｓ１１では、編針ｅに係止する側端編目群２の最外側に位置する編目３は編針Ｇに、編針ｇ，ｈに係止する編目は、編針Ｈ，Ｉにそれぞれ目移しする。Ｓ４で設けた第１の空針６を無くす目移しとなる。また、内減らしを行った後で、編地がすぐ編み終わりとなり、ウェール方向に真直ぐ続かない編地であれば、最終まで空針を設けた状態で編成しても良い。Ｓ１２は、左方向に給糸口９を移動させて、編針Ｐ〜Ｇで新たな編目を形成する。更にＳ１３では、右方向に給糸口９を移動させて、編針Ｇ〜Ｐで新たな編目を形成する。Ｓ１０とＳ１１により、空針を解消しているので、Ｓ１２とＳ１３を繰り返し編成しても、編目の大きさは変わらず見栄えも良い。
【００２１】
尚、本実施例では、急激な内減らしの編成を示しているが、減らしとは逆に、側端編目群２を編地外の空針を含んだ外方向に移動し、該側端編目群２の内側に増し目をして編み幅を増やす内増やし編成についても、内減らしと同様に、編地側端において、側端編目群２が傾斜する際に、側端編目群２の突っ張りが強くなる。その為、実施例で示した内減らしと同じように、移動する側端編目群２の最外側の編目と該隣接する内側の編目間に空針を設けることで、シンカーループを長くした効果が得られ、突っ張りを抑えることが可能となる。
【００２２】
さらに本実施例では、天竺による編成で説明を行ったが、リブや他の組織による編地に対しても本願方法を適用できる。また、公知の４枚ベッド横編機の場合も可能で、単一のガーメントだけでなく、筒状編地の編成に対しても本願方法を適用できる。
【符号の説明】
【００２３】
１            編地
２            側端編目群
３，４，５    編目
８            減らし目    
【図１】
0005766452.tif 000002
【図２】
0005766452.tif 000003
【図３】
0005766452.tif 000004